(57)【要約】【課題】水を貯水できる貯水手段を備えた空気調和装置にあって、使い勝手を更に向上できる空気調和装置を提供することを目的とする。【解決手段】貯水手段４は、貯水容器９と、取手１１とからなり、取手１１は、曲がった略棒状の取手部１３と、取手部１３の両端から水平方向へ伸びた軸部１４を有し、貯水容器９は、軸部１４が入る孔である軸受孔部１９を有し、軸部１４には、上部に上方へ突出した軸凸部分１６を設け、下部に軸曲面部分１７を備え、軸受孔部１９には、上部に軸凸部分１６が嵌る軸受上凹部分２０を設け、下部に軸曲面部分１７に沿う軸受曲面部分２１を備え、取手１１は、軸曲面部分１７が軸受曲面部分２１と接触しながら回動し、取手１１を持ち上げると、軸曲面部分１７が軸受曲面部分２１と離れると共に、軸凸部分１６が軸受上凹部分２０に嵌るので、使い勝手を更に向上できるものである。【選択図】図３
2015187527.tif 000002
【特許請求の範囲】
【請求項１】
吸込口と吹出口を備えた本体ケースと、前記本体ケース内に設けた空気調和手段と、前記本体ケースに着脱自在に設けられた貯水手段とからなり、前記貯水手段は、水を貯水できる椀形状の貯水容器と、前記貯水容器に回動自在に設けられた取手とからなり、前記取手は、曲がった略棒状の取手部と、前記取手部の両端から水平方向へ伸びた軸部と、この軸部の先端に設けた抜止部とからなり、前記貯水容器部は、前記軸部が入る孔である軸受孔部を有し、前記軸部の少なくとも一方には、上部に上方へ突出した軸凸部分を設け、下部に軸曲面部分を備え、前記軸受孔部の少なくとも一方には、上部に前記凸部分に前記軸凸部分が嵌る軸受上凹部分を設け、下部に前記軸曲面部分に沿う軸受曲面部分を備え、前記取手は、前記軸曲面部分が前記軸受曲面部分と接触しながら回動し、前記取手を持ち上げると、前記軸曲面部分が前記軸受曲面部分と離れると共に、前記軸凸部分が前記軸受上凹部分に嵌ることを特徴とする空気調和装置。
【請求項２】
前記抜止部は、軸部の先端に設けた円板部分と、前記円板部分の上端から上方へ突出した抜止凸部分を有し、前記抜止凸部分の上端は、前記軸凸部分の上端より上方に位置することを特徴とする請求項１に記載の空気調和装置。
【請求項３】
前記貯水容器部の前記軸受孔部の上方には、前記軸受孔部の軸方向で前記抜止部側へ突出した２つの軸受凸部分を設け、前記取手を持ち上げると、前記抜止凸部分が、２つの前記軸受凸部分の間に嵌ることを特徴とする請求項２に記載の空気調和装置。
【請求項４】
前記貯水容器部の前記軸受孔部の左右には、軸受横凹部分を有し、前記取手は、弾性を有し、前記取手を前記抜止凸部分が水平になるようにし、前記取手の両端を広げ、前記抜止部を前記軸受孔部に挿入すると、前記抜止凸部分が前記軸受横凹部分を通り抜けることを特徴とする請求項３に記載の空気調和装置。
【発明の詳細な説明】
【技術分野】
【０００１】
本発明は、水を貯水できる貯水手段を備えた空気調和装置に関するものである。
【背景技術】
【０００２】
従来、この種の空気調和装置は、吸込口と吹出口を備えた本体ケースと、前記本体ケース内に設けた空気調和手段と、前記本体ケースに着脱自在に設けられた貯水手段とからなり、前記貯水手段は、水を貯水できる椀形状の貯水容器と、前記貯水容器に回動自在に設けられた取手とからなり、前記取手は、曲がった略棒状の取手部と、前記取手部の両端から水平方向へ伸びた軸部と、この軸部の先端に設けた抜止部とからなり、前記貯水容器部は、前記軸部が入る孔である軸受孔部を有し、取手を上方に回動すると、抜止部の先端が、軸受孔部の上部に設けたリブに当接する構成となっていた。（例えば、特許文献１参照）。
【先行技術文献】
【特許文献】
【０００３】
【特許文献１】特許第５２９９５３６号公報
【発明の概要】
【発明が解決しようとする課題】
【０００４】
上記従来例における課題は、更に使い勝手を向上させることであった。
【０００５】
すなわち、従来の物においては、本体ケースに着脱自在に設けられた貯水手段の取手は、貯水容器に回動自在に設けられていた。そのため、貯水手段に水を貯水して運ぶ場合に、取手を持って運ぶと、貯水容器が回動し、これに伴い、水面が遥動し、水が漏れ出る場合があった。
【０００６】
そこで、従来は、取手を上方に回動すると、抜止部の先端が、軸受孔部の上部に設けたリブに当接する構成となっていた。これにより、取手を持って運ぶと、貯水容器が回動を抑制するものであった。
【０００７】
そこで本発明は、取手を持って運ぶ場合に発生する、貯水容器の回動を更に抑制し、更なる使い勝手の向上を図ることを目的とするものである。
【課題を解決するための手段】
【０００８】
そして、この目的を達成するために、本発明の空気調和装置は、吸込口と吹出口を備えた本体ケースと、前記本体ケース内に設けた空気調和手段と、前記本体ケースに着脱自在に設けられた貯水手段とからなり、前記貯水手段は、水を貯水できる椀形状の貯水容器と、前記貯水容器に回動自在に設けられた取手とからなり、前記取手は、曲がった略棒状の取手部と、前記取手部の両端から水平方向へ伸びた軸部と、この軸部の先端に設けた抜止部とからなり、前記貯水容器部は、前記軸部が入る孔である軸受孔部を有し、前記軸部の少なくとも一方には、上部に上方へ突出した軸凸部分を設け、下部に軸曲面部分を備え、前記軸受孔部の少なくとも一方には、上部に前記凸部分に前記軸凸部分が嵌る軸受上凹部分を設け、下部に前記軸曲面部分に沿う軸受曲面部分を備え、前記取手は、前記軸曲面部分が前記軸受曲面部分と接触しながら回動し、前記取手を持ち上げると、前記軸曲面部分が前記軸受曲面部分と離れると共に、前記軸凸部分が前記軸受上凹部分に嵌ることを特徴としたものであり、これにより所期の目的を達成するものである。
【発明の効果】
【０００９】
本発明によれば、吸込口と吹出口を備えた本体ケースと、前記本体ケース内に設けた空気調和手段と、前記本体ケースに着脱自在に設けられた貯水手段とからなり、前記貯水手段は、水を貯水できる椀形状の貯水容器と、前記貯水容器に回動自在に設けられた取手とからなり、前記取手は、曲がった略棒状の取手部と、前記取手部の両端から水平方向へ伸びた軸部と、この軸部の先端に設けた抜止部とからなり、前記貯水容器部は、前記軸部が入る孔である軸受孔部を有し、前記軸部の少なくとも一方には、上部に上方へ突出した軸凸部分を設け、下部に軸曲面部分を備え、前記軸受孔部の少なくとも一方には、上部に前記凸部分に前記軸凸部分が嵌る軸受上凹部分を設け、下部に前記軸曲面部分に沿う軸受曲面部分を備え、前記取手は、前記軸曲面部分が前記軸受曲面部分と接触しながら回動し、前記取手を持ち上げると、前記軸曲面部分が前記軸受曲面部分と離れると共に、前記軸凸部分が前記軸受上凹部分に嵌るので、使い勝手を更に向上できるものである。
【００１０】
すなわち、前記取手は、前記軸曲面部分が前記軸受曲面部分と接触しながら回動し、前記取手を持ち上げると、前記軸曲面部分が前記軸受曲面部分と離れると共に、前記軸凸部分が前記軸受上凹部分に嵌るので、取手を持って運ぶ場合に発生する、貯水容器の回動を更に抑制し、これらの結果により、使い勝手を更に向上できるものである。
【図面の簡単な説明】
【００１１】
【図１】本発明の実施の形態１の空気調和装置を示す斜視図
【図２】同空気調和装置の断面図
【図３】同空気調和装置の貯水手段の分解斜視図
【図４】同空気調和装置の貯水容器と取手を示す断面図
【図５】同空気調和装置の取手を示す図
【図６】同空気調和装置の取手の軸部を示す図
【図７】同空気調和装置の貯水容器の軸受孔部を示す図
【図８】同空気調和装置の取手の抜止部を示す図
【図９】同空気調和装置の取手の軸部と貯水容器の軸受孔部とを示す図
【図１０】同空気調和装置の取手の軸部と貯水容器の軸受孔部とを示す図
【図１１】同空気調和装置の取手の軸部と貯水容器の軸受孔部とを示す図
【発明を実施するための形態】
【００１２】
以下、本発明の実施の形態について、図１〜図９を参照しながら説明する。
【００１３】
（実施の形態１）
本発明の実施の形態１の加湿装置は、図１〜図３に示すように、吸込口１と吹出口２を備えた箱形状の本体ケース３と、この本体ケース３内に、空気調和手段、貯水手段４を有している。
【００１４】
空気調和手段は、空気調和部と、送風部５とを有している。
【００１５】
空気調和部は、吸込口１と吹出口２とを連通する送風路６に設けられている。空気調和部は、例えば加湿フィルター７である。この加湿フィルター７は、一部が貯水手段４の水に浸漬している。なお、空気調和部は、加湿フィルター７に限るものではなく、除湿ユニットでもよい。
【００１６】
送風部５は、送風路６に設けられている。送風部５によって、吸込口１から吸い込まれた空気は、送風路６により、空気調和部である加湿フィルター７、送風部５を通り、吹出口２から吹き出す。このように、加湿フィルター７に、送風部５によって、吸込口１から吸い込まれた空気を、送風路６を介して送風すると、吹出口２からは、湿気を含んだ空気が室内へ送風される。
【００１７】
貯水手段４は、本体ケース３の下部に着脱自在に設けられている。貯水手段４は、本体ケースの一方側の側面側の側面開口８から左右方向に摺動できる。
【００１８】
貯水手段４は、水を貯水できる貯水容器９と、加湿フィルター７を保持する保持体１０と、貯水容器９に回動自在に設けられた取手１１と有している。
【００１９】
貯水容器９は、上方が開口した椀形状で、一方側の側面側には、本体ケース３から貯水容器９を引き出す場合に掴む、持ち手１２を備え、上部には、貯水容器９を持ち運ぶ場合に掴む取手１１を設けている。取手１１は、貯水容器９の上部に回動自在に取り付けられている。
【００２０】
保持体１０は、貯水容器９の開口面を覆うに蓋のように嵌められ、中央に開口１０ａを備え、この開口１０ａに、板状の加湿フィルター７が上下方向に差し込まれている。
【００２１】
取手１１は、図４〜図６に示すように、取手部１３と、軸部１４と、抜止部１５とを有している。
【００２２】
取手部１３は、曲がった略棒状で、例えばコの字形状である。材質は、弾性を有する樹脂で、略棒状は、例えば断面形状が、板、筒、コの字形状でもよい。
【００２３】
軸部１４は、取手部１３の両端の内側から内方へ、水平方向に伸びている。軸部１４の少なくとも一方には、上部に上方へ突出した軸凸部分１６を設け、下部に軸曲面部分１７を備えている。軸部１４の垂直断面形状は、下部が、下面が円弧である略半円形状で、この円弧が、軸曲面部分１７である。この略半円形状の上端、つまり弦である弦部分１８の中央から四角形状の軸凸部分１６が伸びている。軸凸部分１６の水平方向の長さ寸法は、軸曲面部分１７の弦部分１８の長さより小さい。
【００２４】
抜止部１５は、軸部１４の先端に設けられている。これにより、取手部１３を掴み、貯水容器９を持ち上げた時に、貯水容器９から取手が外れ難くなっている。
【００２５】
図６〜図７に示すように、貯水容器９は、軸部１４が入る孔である軸受孔部１９を有している。軸受孔部１９の少なくとも一方には、上部に軸凸部分が嵌る軸受上凹部分２０を設け、下部に軸曲面部分１７に沿う軸受曲面部分２１を備えている。軸受孔部１９を、軸部１４の軸方向から見ると、四角形状である四角孔部分２２と、この四角孔部分２２の下端辺から下方へ伸びた略半円形状の半円孔部分２３と、四角孔部分２２の上端辺の中央から上方に伸びた四角形状の上四角孔部分２４とからなる。半円孔部分２３の下端が円弧で、この円弧が、軸受曲面部分２１である。上四角孔部分２４が、軸受上凹部分２０である。なお、軸受孔部１９における、四角孔部分２２の上端から、半円孔部分２３の下端までの距離は、軸部１４における、軸凸部分１６の上端から、軸曲面部分１７の下端までの距離と実質同じである。すなわち、仮に、円弧である軸曲面部分１７を上方へ延長し円周を描くと、軸部１４における、軸凸部分１６の上面は、軸曲面部分１７を延長した円周上に位置し、軸凸部分１６の角部は、軸曲面部分１７を延長した円周より内方に位置するものである。（図１０参照）。
【００２６】
本実施形態における特徴は、取手１１は、軸曲面部分１７が軸受曲面部分２１と接触しながら回動し、取手１１を持ち上げると、軸曲面部分１７が軸受曲面部分２１と離れると共に、軸凸部分１６が軸受上凹部分２０に嵌る点である。
【００２７】
これにより、取手１１を持って運ぶ場合に発生する、貯水容器９の回動を更に抑制し、これらの結果により、使い勝手を更に向上できるものである。
【００２８】
この点について、具体的な貯水手段４の取り出し方、および運び方を含めて詳しく説明する。
【００２９】
まず、本体ケース３の下部前面側の持ち手１２に手をかけ、貯水容器９を本体ケース３から手前に引き出す。貯水容器９が本体ケース３内に装着されている場合には、取手１１は、貯水容器９の軸受孔部１９から水平方向に伸びるように倒れている。つまり、水平面である貯水容器９の上端部上に位置している。この状態では、取手１１の軸曲面部分１７と、貯水容器９の軸受曲面部分２１は接触している（図９）。
【００３０】
次に、取手１１の軸曲面部分１７と、貯水容器９の軸受曲面部分２１とが接触した状態で、取手１１を貯水容器９の軸受孔部１９から上方向に伸びるように、回動させる。この回動時には、取手１１の軸凸部分１６は、貯水容器９の軸受孔部１９の内面に接触しながらも、軸受孔部１９内を回動する（図１０）。
【００３１】
最後に、この状態で、取手部１３の水平方向に伸びた部分を掴み、貯水容器９を持ち上げる。この時に、取手１１の軸曲面部分１７が貯水容器９の軸受曲面部分２１と離れると共に、取手１１の軸凸部分１６が貯水容器９の軸受上凹部分２０に嵌る（図１１）。
【００３２】
具体的には、取手の軸凸部分１６が、貯水容器９の軸受上凹部分２０内に入り込むと共に、軸部１４の軸凸部分１６の上端が、軸受孔部１９の上四角孔部分２４の上端との間に隙間を有し、軸部１４の弦部分１８が、軸受孔部１９の四角孔部分２２の上端と接触する。なお、軸凸部分１６の水平方向の寸法は、軸受上凹部分２０である上四角孔部分２４の水平方向の寸法より小さい。すなわち、軸凸部分１６の垂直面１６ａと、軸受上凹部分２０の垂直面２０ａとの間には、隙間を有するものである。この隙間は、取手部１３の水平方向に伸びた部分を掴み、貯水容器９を持ち上げ、取手１１の軸凸部分１６が貯水容器９の軸受上凹部分２０に嵌る程度であればよい。つまり、この隙間は、わずかな隙間なので、取手１１を持って運ぶ場合に発生する、貯水容器９の回動を更に抑制し、これらの結果により、使い勝手を更に向上できるものである。
【００３３】
また、抜止部１５は、図８に示すように、軸部１４の先端に設けた円板部分２５と、円板部分２５の上端から上方へ突出した抜止上凸部分２６と、円板部分２５の下端から下方へ突出した抜止下凸部分２７とを有している。抜止上凸部分２６の上端は、軸凸部分１６の上端より上方に位置するものである。
【００３４】
これにより、取手部１３の水平方向に伸びた部分を掴み、貯水容器９を持ち上げ、取手１１の軸凸部分１６が貯水容器９の軸受上凹部分２０に嵌ると共に、抜止上凸部分２６と取手部１３との間に、軸受孔部１９の上方の貯水容器が挟まれるので、結果として、取手部１３を掴み、貯水容器９を持ち上げた時に、貯水容器９から取手１１が外れ難くなっている。
【００３５】
また、図７、８に示すように、貯水容器９の軸受孔部１９の上方には、軸受孔部１９の軸方向で、抜止部１５側へ突出した２つの軸受凸部分２８を設け、取手１１を持ち上げると、抜止上凸部分２６が、２つの軸受凸部分２８の間に嵌るものである。
【００３６】
これにより、取手１１を持って運ぶ場合に発生する、貯水容器９の回動を更に抑制し、これらの結果により、使い勝手を更に向上できるものである。
【００３７】
また、貯水容器９の軸受孔部１９の左右には、軸受横凹部分２９を有している。取手１１は、弾性を有し、取手１１を抜止上凸部分２６が水平になるようにし、取手１１の両端を広げ、抜止部１５を軸受孔部１９に挿入すると抜止上凸部分２６と、抜止下凸部分２７とが軸受横凹部分２９を通り抜けるものである。
【００３８】
具体的には、軸受孔部１９の四角孔部分２２の左右に、それぞれ四角形状の孔である軸受横凹部分２９を備えたものである。
【００３９】
これにより、取手１１は、取手部１３と、軸部１４と、抜止部１５とを一体で形成することができ、取手の強度を向上することができる。
【産業上の利用可能性】
【００４０】
本発明によれば、吸込口と吹出口を備えた本体ケースと、前記本体ケース内に設けた空気調和手段と、前記本体ケースに着脱自在に設けられた貯水手段とからなり、前記貯水手段は、水を貯水できる椀形状の貯水容器と、前記貯水容器に回動自在に設けられた取手とからなり、前記取手は、曲がった略棒状の取手部と、前記取手部の両端から水平方向へ伸びた軸部と、この軸部の先端に設けた抜止部とからなり、前記貯水容器部は、前記軸部が入る孔である軸受孔部を有し、前記軸部の少なくとも一方には、上部に上方へ突出した軸凸部分を設け、下部に軸曲面部分を備え、前記軸受孔部の少なくとも一方には、上部に前記凸部分に前記軸凸部分が嵌る軸受上凹部分を設け、下部に前記軸曲面部分に沿う軸受曲面部分を備え、前記取手は、前記軸曲面部分が前記軸受曲面部分と接触しながら回動し、前記取手を持ち上げると、前記軸曲面部分が前記軸受曲面部分と離れると共に、前記軸凸部分が前記軸受上凹部分に嵌るので、使い勝手を更に向上できるものである。
【００４１】
すなわち、前記取手は、前記軸曲面部分が前記軸受曲面部分と接触しながら回動し、前記取手を持ち上げると、前記軸曲面部分が前記軸受曲面部分と離れると共に、前記軸凸部分が前記軸受上凹部分に嵌るので、取手を持って運ぶ場合に発生する、貯水容器の回動を更に抑制し、これらの結果により、使い勝手を更に向上できるものである。
【００４２】
従って、家庭用や事務所用などの空気調和装置として活躍が期待されるものである。
【符号の説明】
【００４３】
１      吸込口
２      吹出口
３      本体ケース
４      貯水手段
５      送風部
６      送風路
７      加湿フィルター
８      側面開口
９      貯水容器
１０      保持体
１０ａ    開口
１１      取手
１２      持ち手
１３      取手部
１４      軸部
１５      抜止部
１６      軸凸部分
１６ａ    垂直面
１７      軸曲面部分
１８      弦部分
１９      軸受孔部
２０      軸受上凹部分
２０ａ    垂直面
２１      軸受曲面部分
２２      四角孔部分
２３      半円孔部分
２４      上四角孔部分
２５      円板部分
２６      抜止上凸部分
２７      抜止下凸部分
２８      軸受凸部分
２９      軸受横凹部分
【図１】
2015187527.tif 000003
【図２】
2015187527.tif 000004
【図３】
2015187527.tif 000005
【図４】
2015187527.tif 000006
【図５】
2015187527.tif 000007
【図６】
2015187527.tif 000008
【図７】
2015187527.tif 000009
【図８】
2015187527.tif 000010
【図９】
2015187527.tif 000011
【図１０】
2015187527.tif 000012
【図１１】
2015187527.tif 000013